(57)【特許請求の範囲】
【請求項１】
回路部と、本体ユニットと、コネクタとからなり，
前記回路部は，
絶縁性を有する基板と、導体とその導体を被覆する絶縁体とを備えて構成される一又は複数の絶縁電線とを備えてなり、
前記基板は、平面視矩形状の板部材で形成され、上面が平坦に形成され、側面には四側面のうちの二側面と、一部が下面とに跨って形成される複数の嵌合部が設けられており、下面には、前記絶縁電線を所望の経路に配索するための複数の縦溝と横溝とで格子状の溝になるように構成される電線配索溝と、前記電線配索溝を挟むように対をなして該電線配索溝の溝方向に沿って配置形成される圧接端子を挿入する複数の圧接端子挿入溝とを形成してなり，
前記本体ユニットは，
前記回路部と前記コネクタとの間に位置し、前記回路部に着脱自在に嵌合するように形成され、絶縁性を有する基部と、複数の圧接端子とを備えてなり、
前記基部は、上面と四つの側面とを有して下面が解放される略箱状の部材に形成され、上面は平坦に形成され前記回路部の嵌合部の位置に合わせ該嵌合部に係止される略爪状の部分を有する略アーム状の突起である嵌合突起が形成され、圧接端子が複数取り付けられてなり、二側面に略爪状の部分のみで構成される複数の嵌合突起が形成され、前記下面の解放された部分には、複数の隔壁が設けられており、該複数の隔壁によって前記コネクタを案内し前記圧接端子の他端の接続部が突出する複数のコネクタ受け部を形成してなり，
前記圧接端子は、一端に前記回路部の圧接端子挿入溝に差し込まれ、前記絶縁電線に対して圧接される一対の圧接刃が形成され、他端にコネクタとの接続部が形成されて、タブ状に形成され、前記一端が前記基部の上面から突出するとともに、前記他端が前記基部の解放された部分に突出するように固定され、前記回路部の圧接端子挿入溝の位置に合わせて前記基部に着脱自在に取り付けられてなり，
前記コネクタは，
複数の屋内配線ユニットケーブルの各端末に取り付けられ、絶縁性を有するハウジングと、複数の雌型端子とを備えてなり、
前記ハウジングは、前記本体ユニットのコネクタ受け部内に差し込まれて案内されるような略直方体形状に形成され、前面に圧接端子の接続部が差し込まれる開口部が複数形成され、側面に、前記本体ユニットの嵌合突起に係止される可撓性を有する嵌合部が対になって形成され、前記本体ユニットに着脱自在に嵌合するように形成されてなる，
ことを特徴とする屋内配線用接続器。
【請求項２】
請求項１に記載の屋内配線用接続器において、
嵌合状態にある前記回路部と前記本体ユニットと前記コネクタの全体を覆う保護カバーを更に備えた
ことを特徴とする屋内配線用接続器。
【請求項３】
ユニット蓋部材と、本体ユニットと、コネクタとからなり，
前記ユニット蓋部材は，
絶縁性を有し平面視矩形状に形成されるユニット蓋部材用基部と、該ユニット蓋部材用基部に連成されるバスバー保持部とを有してなり、
前記ユニット蓋部材用基部は、板状の部材で形成され、上面は平坦に形成され、下面にバスバー保持部が一体となるように連成され、側面に、四側面のうちの二側面と、一部が下面とに跨って形成され本体ユニットの嵌合突起を係止することが可能な形状に形成されている複数の嵌合部が形成されており、
前記バスバー保持部は、前記ユニット蓋部材用基部よりも一回り小さい平面視矩形状に形成されており、前記本体ユニットに差し込まれてバスバー群に当接して該スバー群を保持することができるような形状に形成されており、
前記本体ユニットは，
前記ユニット蓋部材と前記コネクタとの間に位置し、前記ユニット蓋部材に着脱自在に嵌合するように形成され、絶縁性を有する本体ユニット用基部と、該本体ユニット用基部に取り付けられる結線用のバスバー群とを備えてなり、
前記本体ユニット用基部は、
下面と四つの側面とを有し、上面が解放される略箱状の部材に形成され、下面は平坦に形成されており、スリット状の貫通孔がタブの形状に合わせて、コネクタの嵌合位置に合わせて複数形成されてなり、二側面上端には、前記ユニット蓋部材の嵌合部に係止され、略爪状の部分を有する略アーム状の突起である嵌合突起が複数形成されており、二側面下端には、略爪状の部分のみで構成される複数の嵌合突起が形成され、前記上面の解放された部分には、前記ユニット蓋部材のバスバー保持部が差し込まれるようになっており、該バスバー保持部が差し込まれた後には、前記嵌合突起が前記嵌合部に係止され、前記ユニット蓋部材が嵌合するようになっており、前記コネクタが嵌合すると、該コネクタの嵌合部が前記嵌合突起に係止されるように形成してなり，
前記結線用のバスバー群は、
導電性を有する金属板を打ち抜いて製造されタブが起立連成され貫通孔に差し込まれ、外方に突出する複数のバスバーによって構成してなり，
前記基部の下面に取り付けたときに、前記タブが前記貫通孔に差し込まれ、該タブが外方に突出するように構成され、該外方に突出したタブは、前記コネクタとの電気的な接続がなされるようになっており，
前記コネクタは、
複数の屋内配線ユニットケーブルの皮むきし露出した絶縁電線の各端末に取り付けられ、絶縁性を有するハウジングと、複数の雌型端子とを備えてなり、
前記ハウジングは、略直方体形状に形成され本体ユニットに着脱自在に嵌合するように形成され、前面には、前記バスバー群のタブが差し込まれる開口部が複数形成されてなり，
前記雌型端子は、
導電性を有する金属板により製造されており、電気接触部と電線接続部とを有し、前記電気接触部には、バスバー群のタブが接続されるように、前記電線接続部には、前記絶縁電線の導体が加締めにより接続されるように構成してなる，
ことを特徴とする屋内配線用接続器。
【請求項４】
請求項３に記載の屋内配線用接続器において，
嵌合状態にある前記本体ユニットと前記コネクタの全体、又は前記本体ユニットと前記コネクタと前記バスバー保持部材の全体を覆う保護カバーを更に備えた
ことを特徴とする屋内配線用接続器。
【請求項５】
回路部と、本体ユニットと、コネクタと、保護カバーとからなり，
前記回路部は，
絶縁性を有する基板と、導体とその導体を被覆する絶縁体とを備えて構成される一又は複数の絶縁電線とを備えてなり、
前記基板は、平面視矩形状の板部材で形成され、上面が平坦に形成され、側面には四側面のうちの二側面と、一部が下面とに跨って形成される複数の嵌合部が設けられており、下面には、前記絶縁電線を所望の経路に配索するための複数の縦溝と横溝とで格子状の溝になるように構成される電線配索溝と、前記電線配索溝を挟むように対をなして該電線配索溝の溝方向に沿って配置形成される圧接端子を挿入する複数の圧接端子挿入溝とを形成してなり，
前記本体ユニットは，
前記回路部と前記コネクタとの間に位置し、前記回路部に着脱自在に嵌合するように形成され、絶縁性を有する基部と、複数の圧接端子とを備えてなり、
前記基部は、上面と四つの側面とを有して下面が解放される略箱状の部材に形成され、上面は平坦に形成され前記回路部の嵌合部の位置に合わせ該嵌合部に係止される略爪状の部分を有する略アーム状の突起である嵌合突起が形成され、圧接端子が複数取り付けられてなり、二側面に略爪状の部分のみで構成される複数の嵌合突起が形成され、前記下面の解放された部分には、複数の隔壁が設けられており、該複数の隔壁によって前記コネクタを案内し前記圧接端子の他端の接続部が突出する複数のコネクタ受け部を形成してなり，
前記圧接端子は、一端に前記回路部の圧接端子挿入溝に差し込まれ、前記絶縁電線に対して圧接される一対の圧接刃が形成され、他端にコネクタとの接続部が形成されて、タブ状に形成され、前記一端が前記基部の上面から突出するとともに、前記他端が前記基部の解放された部分に突出するように固定され、前記回路部の圧接端子挿入溝の位置に合わせて前記基部に着脱自在に取り付けられてなり，
前記コネクタは，
複数の屋内配線ユニットケーブルの各端末に取り付けられ、絶縁性を有するハウジングと、複数の雌型端子とを備えてなり、
前記ハウジングは、前記本体ユニットのコネクタ受け部内に差し込まれて案内されるような略直方体形状に形成され、前面に圧接端子の接続部が差し込まれる開口部が複数形成され、側面に、前記本体ユニットの嵌合突起に係止される可撓性を有する嵌合部が対になって形成され、前記本体ユニットに着脱自在に嵌合するように形成されてなり，
前記保護カバーは，
箱状の部材であって、前面が開放され、ヒンジを介して蓋部が開閉自在に取り付けられており、前記複数の屋内配線ユニットケーブルを引き出すために下面が開放されており、上面に取り付け孔を有する吊りボルトに固定するための固定部が連成されており、一側面に蓋部を係止するための嵌合部が形成されているカバー本体と、前記カバー本体の前面が開放口一端に設けられ、蓋部を開閉自在に支持するヒンジと、前記ヒンジに取り付けられ、前記カバー本体の前記嵌合部に係止され、可撓性を有するアーム状の部分と略爪状の部分とで構成する嵌合突起が形成される蓋部と，を備え、嵌合状態にある前記回路部と前記本体ユニットと前記複数のコネクタの全体を覆うように形成してなる，
ことを特徴とする屋内配線用接続器。
【請求項６】
請求項５に記載の屋内配線用接続器において、
前記保護カバーに、前記本体ユニット又は前記コネクタのいずれかを押さえて前記嵌合状態にある前記全体の脱落を阻止する押さえ部を形成した
ことを特徴とする屋内配線用接続器。
【請求項７】
請求項５又は６に記載の屋内配線用接続器において、
前記保護カバーに、吊りボルトに固定するための固定手段を設けた
ことを特徴とする屋内配線用接続器。
【発明の詳細な説明】
【技術分野】
【０００１】
本発明は、配線ユニットケーブル用ジョイントボックスに係る屋内配線用接続器に関する。
【背景技術】
【０００２】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるようなプレハブ住宅工法が知られている。プレハブ住宅工法においては、各部屋ユニット別の屋内配線作業の簡素化を達成するためにジョイントボックスが用いられている。
【０００３】
従来のジョイントボックスとしては、その内部に絶縁性の熱硬化樹脂（エポキシ樹脂等）を充填・モールドして、分岐接続した屋内配線ユニットケーブルの結線部を固定及び保護することができるように形成されている（例えば特許文献１参照）。
【０００４】
尚、屋内配線ユニットケーブルの結線部は、ケーブルのシース及び絶縁体を任意の長さで皮むきした後、導体を圧着スリーブ等にて結線接続するようにして形成されている。圧着スリーブにて結線された部分は、絶縁キャップやビニールテープや絶縁チューブ等にて絶縁されている。
【特許文献１】登録実用新案第３００５９１２号公報  （第２頁、第１図）
【発明の開示】
【発明が解決しようとする課題】
【０００５】
ところで、上記従来のジョイントボックスにあっては、屋内配線ユニットケーブルのシースや絶縁体の皮むき作業及び結線作業を例えば施工現場で行わなければならず、これにより施工現場での作業時間が掛かってしまうという問題点を有している。また、皮むき作業及び結線作業は、個人差のでる作業であるため、不具合の発生が懸念されている。
【０００６】
本発明は、上述した事情に鑑みてなされるもので、作業時間の短縮化を図るとともに個人差のでない作業にすることが可能な屋内配線用接続器を提供することを課題とする。
【課題を解決するための手段】
【０００７】
上記課題を解決するためなされた請求項１記載の本発明の屋内配線用接続器は、回路部と、本体ユニットと、コネクタとからなり，
前記回路部は，
絶縁性を有する基板と、導体とその導体を被覆する絶縁体とを備えて構成される一又は複数の絶縁電線とを備えてなり、
前記基板は、平面視矩形状の板部材で形成され、上面が平坦に形成され、側面には四側面のうちの二側面と、一部が下面とに跨って形成される複数の嵌合部が設けられており、下面には、前記絶縁電線を所望の経路に配索するための複数の縦溝と横溝とで格子状の溝になるように構成される電線配索溝と、前記電線配索溝を挟むように対をなして該電線配索溝の溝方向に沿って配置形成される圧接端子を挿入する複数の圧接端子挿入溝とを形成してなり，
前記本体ユニットは，
前記回路部と前記コネクタとの間に位置し、前記回路部に着脱自在に嵌合するように形成され、絶縁性を有する基部と、複数の圧接端子とを備えてなり、
前記基部は、上面と四つの側面とを有して下面が解放される略箱状の部材に形成され、上面は平坦に形成され前記回路部の嵌合部の位置に合わせ該嵌合部に係止される略爪状の部分を有する略アーム状の突起である嵌合突起が形成され、圧接端子が複数取り付けられてなり、二側面に略爪状の部分のみで構成される複数の嵌合突起が形成され、前記下面の解放された部分には、複数の隔壁が設けられており、該複数の隔壁によって前記コネクタを案内し前記圧接端子の他端の接続部が突出する複数のコネクタ受け部を形成してなり，
前記圧接端子は、一端に前記回路部の圧接端子挿入溝に差し込まれ、前記絶縁電線に対して圧接される一対の圧接刃が形成され、他端にコネクタとの接続部が形成されて、タブ状に形成され、前記一端が前記基部の上面から突出するとともに、前記他端が前記基部の解放された部分に突出するように固定され、前記回路部の圧接端子挿入溝の位置に合わせて前記基部に着脱自在に取り付けられてなり，
前記コネクタは，
複数の屋内配線ユニットケーブルの各端末に取り付けられ、絶縁性を有するハウジングと、複数の雌型端子とを備えてなり、
前記ハウジングは、前記本体ユニットのコネクタ受け部内に差し込まれて案内されるような略直方体形状に形成され、前面に圧接端子の接続部が差し込まれる開口部が複数形成され、側面に、前記本体ユニットの嵌合突起に係止される可撓性を有する嵌合部が対になって形成され、前記本体ユニットに着脱自在に嵌合するように形成されてなる，
ことを特徴としている。
【０００８】
このような特徴を有する本発明によれば、回路部に結線用の回路が絶縁電線及び電線配索溝によって形成される。また、屋内配線ユニットケーブルの端末にコネクタが取り付けられる。本体ユニットは、回路部とコネクタとの間に配置され、これらの電気的な中継を行うように機能する。配線ユニットケーブル用ジョイントボックスを製造する場合、例えば住宅メーカーの工場内で回路部と本体ユニットとを嵌合させると、回路部の結線用の回路に本体ユニットの圧接端子が圧接される。そして、その回路部と本体ユニットとを嵌合させたものを例えば施工現場において、予め工場内で屋内配線ユニットケーブルに取り付けたコネクタと嵌合させると、回路部の結線用の回路に圧接された圧接端子にコネクタが接続され、全体の電気的な接続が完了する。
【０００９】
屋内配線用接続器は、回路部と本体ユニットとコネクタとの嵌合により行われ、そして、接続がなされることから、作業時間の短縮化を図るとともに個人差のでない作業にすることが可能になる。尚、本発明に係る屋内配線用接続器によれば、配線ユニットケーブル用ジョイントボックスの生産能力及び取り扱い性が向上し、配線ユニットケーブル用ジョイントボックスの完成後に誤配線が発見されても結線の修復が可能になるという利点もある。
【００１１】
また、本発明に係る屋内配線用接続器は、本体ユニットに、コネクタが嵌合時に差し込まれるコネクタ受け部を形成してあるため、本体ユニットとコネクタとの嵌合の際に、コネクタが本体ユニットのコネクタ受け部に差し込まれる。コネクタはコネクタ受け部に案内され、そして、その案内がなされたまま電気的な接続がなされる。コネクタは、コネクタ受け部によって本体ユニットとの嵌合がスムーズになる。
【００１２】
請求項２記載の本発明の屋内配線用接続器は、請求項１に記載の屋内配線用接続器において、嵌合状態にある前記回路部と前記本体ユニットと前記コネクタの全体を覆う保護カバーを更に備えたことを特徴としている。
【００１３】
このような特徴を有する本発明によれば、保護カバーを更に備えていることから、その保護カバーによって嵌合状態にある回路部と本体ユニットとコネクタの全体が覆われる。保護カバーによって、接続部分が例えば外力や埃等から保護される。
【００１４】
請求項３記載の本発明の屋内配線用接続器は、ユニット蓋部材と、本体ユニットと、コネクタとからなり，
前記ユニット蓋部材は，
絶縁性を有し平面視矩形状に形成されるユニット蓋部材用基部と、該ユニット蓋部材用基部に連成されるバスバー保持部とを有してなり、
前記ユニット蓋部材用基部は、板状の部材で形成され、上面は平坦に形成され、下面にバスバー保持部が一体となるように連成され、側面に、四側面のうちの二側面と、一部が下面とに跨って形成され本体ユニットの嵌合突起を係止することが可能な形状に形成されている複数の嵌合部が形成されており、
前記バスバー保持部は、前記ユニット蓋部材用基部よりも一回り小さい平面視矩形状に形成されており、前記本体ユニットに差し込まれてバスバー群に当接して該スバー群を保持することができるような形状に形成されており、
前記本体ユニットは，
前記ユニット蓋部材と前記コネクタとの間に位置し、前記ユニット蓋部材に着脱自在に嵌合するように形成され、絶縁性を有する本体ユニット用基部と、該本体ユニット用基部に取り付けられる結線用のバスバー群とを備えてなり、
前記本体ユニット用基部は、
下面と四つの側面とを有し、上面が解放される略箱状の部材に形成され、下面は平坦に形成されており、スリット状の貫通孔がタブの形状に合わせて、コネクタの嵌合位置に合わせて複数形成されてなり、二側面上端には、前記ユニット蓋部材の嵌合部に係止され、略爪状の部分を有する略アーム状の突起である嵌合突起が複数形成されており、二側面下端には、略爪状の部分のみで構成される複数の嵌合突起が形成され、前記上面の解放された部分には、前記ユニット蓋部材のバスバー保持部が差し込まれるようになっており、該バスバー保持部が差し込まれた後には、前記嵌合突起が前記嵌合部に係止され、前記ユニット蓋部材が嵌合するようになっており、前記コネクタが嵌合すると、該コネクタの嵌合部が前記嵌合突起に係止されるように形成してなり，
前記結線用のバスバー群は、
導電性を有する金属板を打ち抜いて製造されタブが起立連成され貫通孔に差し込まれ、外方に突出する複数のバスバーによって構成してなり，
前記基部の下面に取り付けたときに、前記タブが前記貫通孔に差し込まれ、該タブが外方に突出するように構成され、該外方に突出したタブは、前記コネクタとの電気的な接続がなされるようになっており，
前記コネクタは、
複数の屋内配線ユニットケーブルの皮むきし露出した絶縁電線の各端末に取り付けられ、絶縁性を有するハウジングと、複数の雌型端子とを備えてなり、
前記ハウジングは、略直方体形状に形成され本体ユニットに着脱自在に嵌合するように形成され、前面には、前記バスバー群のタブが差し込まれる開口部が複数形成されてなり，
前記雌型端子は、
導電性を有する金属板により製造されており、電気接触部と電線接続部とを有し、前記電気接触部には、バスバー群のタブが接続されるように、前記電線接続部には、前記絶縁電線の導体が加締めにより接続されるように構成してなる，
ことを特徴としている。
【００１５】
このような特徴を有する本発明によれば、本体ユニットに結線用のバスバーが配索される。また、屋内配線ユニットケーブルの端末にコネクタが取り付けられる。配線ユニットケーブル用ジョイントボックスを製造する場合、例えば住宅メーカーの工場内で予め本体ユニットを形成するとともに、屋内配線ユニットケーブルにコネクタを取り付け、その後これらを例えば施工現場において嵌合させると、本体ユニットのバスバーに形成されたタブにコネクタが接続され、全体の電気的な接続が完了する。
【００１６】
屋内配線用接続器は、本体ユニットとコネクタとの嵌合により行われ、そして、接続がなされることから、作業時間の短縮化を図るとともに個人差のでない作業にすることが可能になる。尚、本発明に係る屋内配線用接続器によれば、配線ユニットケーブル用ジョイントボックスの生産能力及び取り扱い性が向上し、配線ユニットケーブル用ジョイントボックスの完成後に誤配線が発見されても結線の修復が可能になるという利点もある。
【００１８】
また、本発明に係る屋内配線用接続器は、バスバー保持部材を更に備えていることから、そのバスバー保持部材によって本体ユニットに配索されたバスバーが保持される。これにより、コネクタを本体ユニットに嵌合させる際、バスバーとコネクタとの接続状態が安定する。
【００１９】
請求項４記載の本発明の屋内配線用接続器は、請求項３に記載の屋内配線用接続器において、嵌合状態にある前記本体ユニットと前記コネクタの全体、又は前記本体ユニットと前記コネクタと前記バスバー保持部材の全体を覆う保護カバーを更に備えたことを特徴としている。
【００２０】
このような特徴を有する本発明によれば、保護カバーを更に備えていることから、その保護カバーによって嵌合状態にある本体ユニットとコネクタの全体、又は本体ユニットとコネクタとバスバー保持部材の全体が覆われる。保護カバーによって、接続部分が例えば外力や埃等から保護される。
【００２１】
請求項５記載の本発明の屋内配線用接続器は、回路部と、本体ユニットと、コネクタと、保護カバーとからなり，
前記回路部は，
絶縁性を有する基板と、導体とその導体を被覆する絶縁体とを備えて構成される一又は複数の絶縁電線とを備えてなり、
前記基板は、平面視矩形状の板部材で形成され、上面が平坦に形成され、側面には四側面のうちの二側面と、一部が下面とに跨って形成される複数の嵌合部が設けられており、下面には、前記絶縁電線を所望の経路に配索するための複数の縦溝と横溝とで格子状の溝になるように構成される電線配索溝と、前記電線配索溝を挟むように対をなして該電線配索溝の溝方向に沿って配置形成される圧接端子を挿入する複数の圧接端子挿入溝とを形成してなり，
前記本体ユニットは，
前記回路部と前記コネクタとの間に位置し、前記回路部に着脱自在に嵌合するように形成され、絶縁性を有する基部と、複数の圧接端子とを備えてなり、
前記基部は、上面と四つの側面とを有して下面が解放される略箱状の部材に形成され、上面は平坦に形成され前記回路部の嵌合部の位置に合わせ該嵌合部に係止される略爪状の部分を有する略アーム状の突起である嵌合突起が形成され、圧接端子が複数取り付けられてなり、二側面に略爪状の部分のみで構成される複数の嵌合突起が形成され、前記下面の解放された部分には、複数の隔壁が設けられており、該複数の隔壁によって前記コネクタを案内し前記圧接端子の他端の接続部が突出する複数のコネクタ受け部を形成してなり，
前記圧接端子は、一端に前記回路部の圧接端子挿入溝に差し込まれ、前記絶縁電線に対して圧接される一対の圧接刃が形成され、他端にコネクタとの接続部が形成されて、タブ状に形成され、前記一端が前記基部の上面から突出するとともに、前記他端が前記基部の解放された部分に突出するように固定され、前記回路部の圧接端子挿入溝の位置に合わせて前記基部に着脱自在に取り付けられてなり，
前記コネクタは，
複数の屋内配線ユニットケーブルの各端末に取り付けられ、絶縁性を有するハウジングと、複数の雌型端子とを備えてなり、
前記ハウジングは、前記本体ユニットのコネクタ受け部内に差し込まれて案内されるような略直方体形状に形成され、前面に圧接端子の接続部が差し込まれる開口部が複数形成され、側面に、前記本体ユニットの嵌合突起に係止される可撓性を有する嵌合部が対になって形成され、前記本体ユニットに着脱自在に嵌合するように形成されてなり，
前記保護カバーは，
箱状の部材であって、前面が開放され、ヒンジを介して蓋部が開閉自在に取り付けられており、前記複数の屋内配線ユニットケーブルを引き出すために下面が開放されており、上面に取り付け孔を有する吊りボルトに固定するための固定部が連成されており、一側面に蓋部を係止するための嵌合部が形成されているカバー本体と、前記カバー本体の前面が開放口一端に設けられ、蓋部を開閉自在に支持するヒンジと、前記ヒンジに取り付けられ、前記カバー本体の前記嵌合部に係止され、可撓性を有するアーム状の部分と略爪状の部分とで構成する嵌合突起が形成される蓋部と，を備え、嵌合状態にある前記回路部と前記本体ユニットと前記複数のコネクタの全体を覆うように形成してなる，
ことを特徴としている。
【００２２】
このような特徴を有する本発明によれば、本体ユニットに結線部品が装着される。また、屋内配線ユニットケーブルの端末にコネクタが取り付けられる。配線ユニットケーブル用ジョイントボックスを製造する場合、例えば住宅メーカーの工場内で予め本体ユニットを形成するとともに、屋内配線ユニットケーブルにコネクタを取り付け、その後これらを例えば施工現場において嵌合させると、本体ユニットの結線部品に設けられた雄端子にコネクタが接続され、全体の電気的な接続が完了する。
【００２３】
屋内配線用接続器は、本体ユニットとコネクタとの嵌合により行われ、そして、接続がなされることから、作業時間の短縮化を図るとともに個人差のでない作業にすることが可能になる。尚、本発明に係る屋内配線用接続器によれば、配線ユニットケーブル用ジョイントボックスの生産能力及び取り扱い性が向上し、配線ユニットケーブル用ジョイントボックスの完成後に誤配線が発見されても結線の修復が可能になるという利点もある。
【００２７】
このような特徴を有する本発明によれば、保護カバーを更に備えていることから、その保護カバーによって嵌合状態にある本体ユニットとコネクタの全体、又は本体ユニットとコネクタとユニット蓋部材の全体が覆われる。保護カバーによって、接続部分が例えば外力や埃等から保護される。
【００２８】
請求項６記載の本発明の屋内配線用接続器は、請求項５に記載の屋内配線用接続器において、前記保護カバーに、前記本体ユニット又は前記コネクタのいずれかを押さえて前記嵌合状態にある前記全体の脱落を阻止する押さえ部を形成したことを特徴としている。
【００２９】
このような特徴を有する本発明によれば、保護カバーに押さえ部が形成されていることから、その押さえ部によって本体ユニット又はコネクタが押さえられる。嵌合状態にある回路部と本体ユニットとコネクタの全体、又は、本体ユニットとコネクタの全体、或いは、本体ユニットとコネクタとバスバー保持部材の全体は、保護カバーからの脱落が阻止される。
【００３０】
請求項７記載の本発明の屋内配線用接続器は、請求項５又は６に記載の屋内配線用接続器において、前記保護カバーに、吊りボルトに固定するための固定手段を設けたことを特徴としている。
【００３１】
このような特徴を有する本発明によれば、保護カバーに吊りボルトに固定するための固定手段を設けていることから、その固定手段を用いることによって吊りボルトに固定される。
【発明の効果】
【００３２】
このような特徴を有する本発明によれば、保護カバーに吊りボルトに固定するための固定手段を設けていることから、その固定手段を用いることによって吊りボルトに固定される。さらに、本体ユニットとコネクタとの嵌合をスムーズにすることができる。従って、作業時間のより一層の短縮化を図ることができるという効果を奏する。
【００３４】
請求項２に記載された本発明によれば、嵌合状態にある回路部と本体ユニットとコネクタの全体を保護することができるという効果を奏する。
【００３５】
請求項３に記載された本発明によれば、請求項１の発明とは異なる構成であるものの請求項１の発明と同様の効果を奏する。すなわち、請求項３の発明でも、個人差のでない作業にするとともに作業時間の短縮化を図ることができるという効果を奏する。
さらに、バスバーを保持してそのバスバーのズレを阻止することができる。従って、バスバーとコネクタとの接続状態を安定させることができるという効果を奏する。尚、バスバー保持部材を本体ユニットに嵌合する蓋形状に形成すれば、外力や埃等からの保護も可能になるという効果を奏する。
【００３７】
請求項４に記載された本発明によれば、嵌合状態にある本体ユニットとコネクタの全体、又は本体ユニットとコネクタとバスバー保持部材の全体を保護することができるという効果を奏する。
【００３８】
請求項５に記載された本発明によれば、請求項１の発明とは異なる構成であるものの請求項１の発明と同様の効果を奏する。すなわち、請求項５の発明でも、個人差のでない作業にするとともに作業時間の短縮化を図ることができるという効果を奏する。
さらに、嵌合状態にある本体ユニットとコネクタの全体、又は本体ユニットとコネクタとユニット蓋部材の全体を保護することができるという効果を奏する。
【００４１】
請求項６に記載された本発明によれば、保護カバーからの脱落を阻止することができるという効果を奏する。
【００４２】
請求項７に記載された本発明によれば、吊りボルトに固定することができるという効果を奏する。
【発明を実施するための最良の形態】
【００４３】
以下、図面を参照して本発明の実施の形態を説明する。
【００４４】
図１は本発明の屋内配線用接続器の一実施の形態を示す配線ユニットケーブル用ジョイントボックスの斜視図である。また、図２（ａ）は表面側から見た回路部の斜視図、（ｂ）は裏面側から見た回路部の斜視図、図３は回路部の底面図、図４（ａ）は表面側から見た本体ユニットの斜視図、（ｂ）は裏面側から見た本体ユニットの斜視図、図５は圧接端子の正面図、図６は屋内配線ユニットケーブルの端末及びコネクタの斜視図、図７は保護カバーを取り付けた状態の配線ユニットケーブル用ジョイントボックスの斜視図である。
【００４５】
図１ないし図７において、本発明の屋内配線用接続器に係る配線ユニットケーブル用ジョイントボックス１は、回路部２と本体ユニット３と複数のコネクタ４と保護カバー５とを備えて構成されており、従来と比べて作業時間の短縮化を図るとともに個人差のでない作業にすることができるようになっている。以下、上記各構成について説明する。
【００４６】
上記回路部２は、絶縁性を有する合成樹脂製の基板６と、一又は複数の絶縁電線７とを備えて構成されている。基板６は、平面視矩形状の板部材として形成されている。基板６の上面は、平坦に形成されており、反対側の基板６の下面には、電線配索溝８と複数の圧接端子挿入溝９とが形成されている。また、基板６の側面には、複数の嵌合部１０が形成されている。
【００４７】
電線配索溝８は、絶縁電線７を所望の経路に配索するための溝であって、複数の縦溝と横溝とで構成されている。言い換えれば、電線配索溝８は、格子状の溝になるように形成されている。電線配索溝８の幅は、絶縁電線７の直径よりも若干狭くなるように形成されている。すなわち、電線配索溝８は、絶縁電線７が圧入されるように形成されている。一方、電線配索溝８の深さは、絶縁電線７がはみ出さない程度に形成されている。
【００４８】
圧接端子挿入溝９は、後述する圧接端子１１が挿入され案内することが可能な溝であって、電線配索溝８に沿って形成されている。また、圧接端子挿入溝９は、対をなして電線配索溝８を挟むように配置形成されている。このような圧接端子挿入溝９は、コネクタ４の配置に合わせて形成されている。
【００４９】
嵌合部１０は、四側面のうちの二側面と、一部が下面とに跨って、それぞれ二つずつ形成されている。嵌合部１０は、後述する嵌合突起１２を係止することが可能な形状に形成されている。尚、嵌合部１０や後述する嵌合突起１２等の嵌合構造は一例であり、特に本形態の構造に限定されないものとする。すなわち、既知嵌合構造を適宜採用することができるものとする。
【００５０】
絶縁電線７は、既知のものであって、導体とその導体を被覆する絶縁体とを備えて構成されている。絶縁電線７は、図３において平行に三本並べられて配索されているが、これに限らないものとする。絶縁電線７の配索に関しては、図８ないし図１０を参照しながら後述する。
【００５１】
上記本体ユニット３は、回路部２とコネクタ４との間に位置する部材であって、これらの電気的な中継を行うために設けられている。また、本体ユニット３は、回路部２に対して着脱自在に嵌合するように形成されている。このような本体ユニット３は、絶縁性を有する合成樹脂製の基部１３と、複数の圧接端子１１とを備えて構成されている。
【００５２】
基部１３は、上面と四つの側面とを有して略箱状の部材に形成されている。すなわち、略箱状の部材であることから、基部１３の下面は解放されている。基部１３の上面は、平坦に形成されており、圧接端子１１が複数取り付けられている。また、基部１３の上面には、回路部２の嵌合部１０に係止される嵌合突起１２が形成されている。
【００５３】
圧接端子１１は、その一端が基部１３の上面から突出するとともに、他端が基部１３の解放された部分に突出するように固定されている。また、圧接端子１１は、回路部２の圧接端子挿入溝９の位置に合わせて取り付けられている。圧接端子１１は、回路変更を可能とするために、基部１３に対して着脱自在となるように固定されている。図４の圧接端子１１の配置は、一例であるものとする。
【００５４】
圧接端子１１の上記一端には、回路部２の圧接端子挿入溝９に差し込まれ且つ絶縁電線７に対して圧接される一対の圧接刃１４、１４が形成されている。圧接端子１１の上記他端は、コネクタ４に対する接続部１５であって、タブ状に形成されている。圧接端子１１における引用符号１６は位置決め及び固定用のストッパを示している。
【００５５】
嵌合突起１２は、対応する嵌合部１０の位置に合わせて形成されている。嵌合突起１２は、略爪状の部分を有する略アーム状の突起であって、その略爪状の部分には、嵌合をスムーズにするためのテーパ面が形成されている。
【００５６】
基部１３の二側面には、複数の嵌合突起１７が形成されている。その嵌合突起１７は、上記嵌合突起１２の形状とは異なり、略爪状の部分のみで構成されている。嵌合突起１７は、後述するコネクタ受け部１８毎に対になって形成されている。
【００５７】
基部１３の上記解放された部分には、複数の隔壁１９が設けられている。そして、その隔壁１９によって複数のコネクタ受け部１８が形成されている。コネクタ受け部１８は、コネクタ４を案内することができるように形成されている。コネクタ受け部１８内には、圧接端子１１の上記他端（接続部１５）が突出するようになっている。
【００５８】
上記コネクタ４は、複数の屋内配線ユニットケーブル２０の各端末に対して取り付けられている。具体的には、任意の長さでシース２１を皮むきし、露出した絶縁電線２２の各端末に対してコネクタ４が取り付けられている。このようなコネクタ４は、絶縁性を有する合成樹脂製のハウジング２３と、図示しない複数の雌型端子とを備えて構成されている。
【００５９】
ハウジング２３は、本体ユニット３のコネクタ受け部１８内に差し込まれて案内されるような略直方体形状に形成されている。また、ハウジング２３は、本体ユニット３に対して着脱自在に嵌合するように形成されている。ハウジング２３の前面には、圧接端子１１の接続部１５が差し込まれる開口部２４が複数形成されている。
【００６０】
コネクタ４は、開口部２４を介して圧接端子１１の接続部１５がその内部に差し込まれると、図示しない雌型端子との電気的な接続が完了するようになっている。尚、開口部２４と図示しない雌型端子とが特許請求の範囲に記載したコネクタ４の接続部に相当するものとする。ハウジング２３の後面からは、図示しない雌型端子に接続された絶縁電線２２が引き出されている。
【００６１】
ハウジング２３の側面には、本体ユニット３の嵌合突起１７に対して係止される嵌合部２５が対になって形成されている。その嵌合部２５は、可撓性を有している。嵌合部２５の先端側には、嵌合突起１７の形状に合わせた凹状の部分が形成されている。
【００６２】
上記保護カバー５は、例えば合成樹脂製の箱状の部材であって、本形態においては二つ割り構造となるように形成されている。このような保護カバー５は、嵌合状態にある回路部２と本体ユニット３とコネクタ４の全体を覆うように形成されている。保護カバー５によって、接続部分が例えば外力や埃等から保護されるようになっている。保護カバー５は、図７の構造に限定されないものとする。
【００６３】
上記構成において、電線配索溝８に絶縁電線７が所望の経路で配索されると、結線用の回路が回路部２に形成される。また、基部１３の上面に圧接端子１１が複数、必要な位置にそれぞれ取り付けられると、本体ユニット３が形成される。さらに、複数の屋内配線ユニットケーブル２０の各端末にコネクタ４がそれぞれ取り付けられると、コネクタ付きケーブル２６が形成される。
【００６４】
住宅メーカーの工場内では、回路部２、本体ユニット３、及びコネクタ付きケーブル２６の形成が行われる。また、工場内では、回路部２と本体ユニット３とを嵌合させ、回路部２の結線用の回路に本体ユニット３の圧接端子１１を圧接させたサブアッシー状態のものも形成される。そのサブアッシー状態のものと、コネクタ付きケーブル２６は、施工現場へ搬送される。
【００６５】
上記サブアッシー状態のものと、コネクタ付きケーブル２６が施工現場へ搬送されると、これらの嵌合が作業者によって行われる。具体的には、コネクタ４が本体ユニット３のコネクタ受け部１８に差し込まれる。そして、コネクタ４は、コネクタ受け部１８に案内され、嵌合と同時に電気的な接続が完了する。その後、嵌合状態にある回路部２と本体ユニット３とコネクタ４の全体に対して保護カバー５を図７に示される如く取り付けると、配線ユニットケーブル用ジョイントボックス１が完成する。
【００６６】
以上、図１ないし図７を参照しながら説明してきたように、本発明の屋内配線用接続器に係る配線ユニットケーブル用ジョイントボックス１は、回路部２と本体ユニット３とコネクタ４との嵌合により行われ、そして、接続がなされることから、施工現場での作業時間の短縮化を図るとともに、個人差のでない作業にすることができる。すなわち、施工現場での作業は、コネクタ４の嵌合作業（接続作業）と配線ユニットケーブル用ジョイントボックス１の設置作業とになることから、従来よりも作業時間を短縮することができる。また、工場内で結線のための回路が設計され、そして、回路部２及び本体ユニット３を嵌合させることから、施工現場での誤結線がなくなって従来とは異なる個人差のない接続ができる。さらに、各構成部品が工場生産になり品質のバラツキがなくなることから、不具合の発生も確実に低減させることができる。
【００６７】
図８ないし図１０は、絶縁電線７の上記配索（図３参照）に対する他の例を示している。尚、各図の（ａ）は結線図、（ｂ）はその配置図を示している。
【００６８】
図８において、図８（ａ）のような結線をする必要がある場合には、絶縁電線７が図８（ｂ）のように配索されるものとする。また、図９において、図９（ａ）のような結線をする必要がある場合には、絶縁電線７が図９（ｂ）のように配索されるものとする。さらに、図１０において、図１０（ａ）のような結線をする必要がある場合には、絶縁電線７が図１０（ｂ）のように配索されるものとする。
【００６９】
図１１は上記回路部２（図２参照）の他の例を示している。図１１において、回路部２′は、恰も上記回路部２（図２参照）を二つ連続させたような状態に形成されている。このような回路部２′は、複雑な結線回路のためのものとして形成されている。結線用の回路に応じて回路部２又は２′を変更し、本体ユニット３とコネクタ４とを共有することができるという利点を有している。
【００７０】
次に、図１２ないし図２０を参照しながら配線ユニットケーブル用ジョイントボックスの他の例を説明する。図１２は他の配線ユニットケーブル用ジョイントボックスの斜視図、図１３は保護カバーを開いた状態の配線ユニットケーブル用ジョイントボックスの斜視図、図１４は配線ユニットケーブル用ジョイントボックスの斜視図、図１５は保護カバー（閉じた状態）の斜視図、図１６は保護カバー（開いた状態）の斜視図、図１７〜図２０は吊りボルトに固定した状態の図である。
【００７１】
図１２ないし図１６において、本発明の屋内配線用接続器に係る配線ユニットケーブル用ジョイントボックス３１は、回路部３２と本体ユニット３３と複数のコネクタ３４とを備えて構成されている。また、配線ユニットケーブル用ジョイントボックス３１は、嵌合状態にある回路部３２と本体ユニット３３とコネクタ３４の全体を保護するための保護カバー３５を備えて構成されている。
【００７２】
上記回路部３２は、上述の形態の回路部２と基本的に同じものであり、絶縁性を有する合成樹脂製の基板３６と、一又は複数の絶縁電線とを備えて構成されている。基板３６は、平面視矩形状の板部材として形成されている。基板３６の上面は、平坦に形成されており、反対側の基板３６の下面には、電線配索溝と複数の圧接端子挿入溝とが形成されている。また、基板３６の側面には、複数の嵌合部３７が形成されている。
【００７３】
上記本体ユニット３３は、上述の形態の本体ユニット３と基本的に同じものであり、回路部３２とコネクタ３４との間に位置する部材であって、これらの電気的な中継を行うために設けられている。また、本体ユニット３３は、回路部３２に対して着脱自在に嵌合するように形成されている。このような本体ユニット３３は、絶縁性を有する合成樹脂製の基部３８と、複数の圧接端子とを備えて構成されている。
【００７４】
基部３８は、上面と四つの側面とを有して略箱状の部材に形成されている。すなわち、上面と四つの側面とを有する略箱状の部材であることから、基部３８の下面は解放されている。基部３８の上面は、平坦に形成されており、上記圧接端子が複数取り付けられている。また、基部３８の上面には、回路部３２の嵌合部３７に係止される嵌合突起３９が形成されている。
【００７５】
嵌合突起３９は、対応する嵌合部３７の位置に合わせて形成されている。嵌合突起３９は、略爪状の部分を有する略アーム状の突起であって、その略爪状の部分には、嵌合をスムーズにするためのテーパ面が形成されている。
【００７６】
基部３８の二側面には、複数の嵌合部４０が形成されている。その嵌合部４０は、基部３８の後述するコネクタ受け部毎に対になって形成されている。
【００７７】
基部３８の上記解放された部分には、複数の隔壁が設けられている。そして、その隔壁によって複数のコネクタ受け部が形成されている。コネクタ受け部は、コネクタ３４を案内することができるように形成されている。このようなコネクタ受け部内には、上記圧接端子の接続部（上述の接続部１５を参照）が突出するようになっている。
【００７８】
上記コネクタ３４は、複数の屋内配線ユニットケーブル４１の各端末に対して取り付けられている。具体的には、任意の長さでシース４２を皮むきし、露出した絶縁電線４３の各端末に対してコネクタ３４が取り付けられている。このようなコネクタ３４は、絶縁性を有する合成樹脂製のハウジング４４と、図示しない複数の雌型端子とを備えて構成されている。
【００７９】
ハウジング４４は、本体ユニット３３の上記コネクタ受け部内に差し込まれて案内されるような略直方体形状に形成されている。また、ハウジング４４は、本体ユニット３３に対して着脱自在に嵌合するように形成されている。ハウジング４４の前面には、上記圧接端子の接続部が差し込まれる開口部が複数形成されている。
【００８０】
コネクタ３４は、上記開口部を介して上記圧接端子の接続部がその内部に差し込まれると、図示しない雌型端子との電気的な接続が完了するようになっている。ハウジング４４の後面からは、図示しない雌型端子に接続された絶縁電線４３が引き出されている。
【００８１】
ハウジング４４の側面には、本体ユニット３３の嵌合部４０に係止される嵌合突起４５が対になって形成されている。その嵌合突起４５は、可撓性を有するアーム状の部分と略爪状の部分とで構成されている。
【００８２】
上記保護カバー３５は、例えば合成樹脂製の箱状の部材であって、カバー本体４６とヒンジ４７と蓋部４８とを備えて構成されている。このような保護カバー３５は、嵌合状態にある回路部３２と本体ユニット３３と複数のコネクタ３４の全体を覆うように形成されている（接続部分が例えば外力や埃等から保護される）。
【００８３】
カバー本体４６は、前面が開放されており、その前面には、ヒンジ４７を介して蓋部４８が開閉自在に取り付けられている。また、カバー本体４６は、複数の屋内配線ユニットケーブル４１を引き出すために下面が開放されている。このようなカバー本体４６の上面には、取り付け孔４９、４９を有する固定部５０（特許請求の範囲に記載した固定手段に相当）が連成されている。また、カバー本体４６の一側面には、嵌合部５１、５１が形成されている。さらに、カバー本体４６の内面には、押さえ部５２が形成されている。
【００８４】
固定部５０は、後述する吊りボルト５５に固定するために設けられている。また、嵌合部５１、５１は、蓋部４８を係止するために設けられている。さらに、押さえ部５２は、嵌合状態にある回路部３２と本体ユニット３３と複数のコネクタ３４の全体の脱落を阻止するために設けられている。押さえ部５２は、本形態において、コネクタ３４を引っ掛けることができるような形状に形成されている（本体ユニット３３の例えば嵌合部４０を引っ掛けるように配置形成してもよいものとする）。
【００８５】
蓋部４８には、カバー本体４６の嵌合部５１、５１に係止される嵌合突起５３、５３が形成されている。また、蓋部４８には、カバー本体４６の押さえ部５２に対向配置される押さえ部５４が形成されている。嵌合突起５３、５３は、可撓性を有するアーム状の部分と略爪状の部分とで構成されている。尚、嵌合部５１、５１と嵌合突起５３、５３との係止状態解除は、例えばマイナスドライバーなどの道具を必要とする構造が好ましいものとする（勝手にコネクタ３４を抜かれないようにするため）。
【００８６】
押さえ部５４は、カバー本体４６の押さえ部５２と同じ機能を有しており、形状も同じに形成されている。尚、押さえ部５２及び５４により、嵌合状態にある回路部３２と本体ユニット３３と複数のコネクタ３４の全体の、保護カバー３５からの脱落が阻止される。
【００８７】
上記構成において、上述の形態と同じように、回路部３２と本体ユニット３３と複数のコネクタ３４とを嵌合状態にして、その全体をカバー本体４６内に収納し、さらには蓋部４８をカバー本体４６に係止させ、その後、図１７ないし図２０に示されるように吊りボルト５５に固定すると（取り付け孔４９、４９を介して固定され、図１７及び図１８ではボルト５６、ナット５７、及び押さえ板５８で固定される。一方、図１９及び図２０では結束バンド５９やビニールタイ等で固定される）、一連の組み立てが完了する。
【００８８】
本発明の屋内配線用接続器に係る配線ユニットケーブル用ジョイントボックス３１は、上記構成であることから上述の形態と同じ効果を奏する。また、嵌合状態にある回路部３２と本体ユニット３３と複数のコネクタ３４の全体の、保護カバー３５への固定が簡単（簡素な固定構造でもある）であることから、従来と比べて工数低減を図ることができる。
【００８９】
続いて、図２１ないし図２９を参照しながら配線ユニットケーブル用ジョイントボックスの更に他の例を説明する。図２１は更に他の配線ユニットケーブル用ジョイントボックスの斜視図、図２２はユニット蓋部材の斜視図、図２３は本体ユニットの斜視図、図２４は本体ユニットを構成する基部の斜視図、図２５及び図２６はバスバーに関する図、図２７は屋内配線ユニットケーブルの端末及びコネクタの斜視図、図２８はバスバーと端子の接続状態の説明図、図２９はユニット蓋部材と本体ユニットの嵌合状態を示す斜視図である。
【００９０】
図２１ないし図２９において、第三実施形態となる本発明の屋内配線用接続器に係る配線ユニットケーブル用ジョイントボックス６１は、ユニット蓋部材６２と本体ユニット６３と複数のコネクタ６４とを備えて構成されている。また、配線ユニットケーブル用ジョイントボックス６１は、嵌合状態にあるユニット蓋部材６２と本体ユニット６３とコネクタ６４の全体を保護するための保護カバー（例えば上述の保護カバー５又は３５）を備えて構成されている。
【００９１】
上記ユニット蓋部材６２は、特許請求の範囲に記載したバスバー保持部材に相当するものであって、絶縁性を有する合成樹脂材により成形されており、平面視矩形状の基部６５と、その基部６５に連成されるバスバー保持部６６とを有している。このようなユニット蓋部材６２は、本形態において、図２２に示されるような段付きの蓋形状に形成されている。基部６５は、板状の部材として形成されている。その基部６５の上面は、平坦に形成されている。基部６５の下面には、バスバー保持部６６が一体となるように連成されている。基部６５の側面には、複数の嵌合部６７が形成されている。
【００９２】
バスバー保持部６６は、基部６５よりも一回り小さい平面視矩形状に形成されている。また、バスバー保持部６６は、本体ユニット６３に差し込まれて後述するバスバー群６９に当接するように形成されている。すなわち、バスバー保持部６６は、後述するバスバー群６９を保持することができるような形状に形成されている。尚、バスバー保持部６６の形状は、特に図示の形状に限定されないものとする。
【００９３】
嵌合部６７は、四側面のうちの二側面と、一部が下面とに跨って、それぞれ二つずつ形成されている。嵌合部６７は、後述する嵌合突起７１を係止することが可能な形状に形成されている。尚、嵌合部６７や後述する嵌合突起７１等の嵌合構造は一例であり、特に本形態の構造に限定されないものとする。すなわち、既知嵌合構造を適宜採用することができるものとする。
【００９４】
ユニット蓋部材６２は、本体ユニット６３に対して着脱自在に嵌合するように形成されている。ユニット蓋部材６２は、後述するバスバー群６９の保持が不要となる構造を本体ユニット６３が有するのであれば設定しなくてもよいものとする。
【００９５】
上記本体ユニット６３は、絶縁性を有する合成樹脂製の基部６８と、その基部６８に取り付けられる結線用のバスバー群６９とを備えて構成されている。基部６８は、本形態において、下面と四つの側面とを有して略箱状の部材となるように形成されている。すなわち、略箱状の部材であることから、基部６８の上面は解放形成されている。基部６８の下面は、平坦に形成されており、スリット状の貫通孔７０が複数形成されている。貫通孔７０は、後述するタブ７４の形状に合わせて形成されている。また、貫通孔７０は、コネクタ６４の嵌合位置に合わせて形成されている。
【００９６】
基部６８の二側面上端には、ユニット蓋部材６２の嵌合部６７に係止される嵌合突起７１が複数形成されている。嵌合突起７１は、略爪状の部分を有する略アーム状の突起であって、その略爪状の部分には、嵌合をスムーズにするためのテーパ面が形成されている。基部６８の二側面下端には、嵌合突起７２が複数形成されている。その嵌合突起７２は、上記嵌合突起７１の形状とは異なり、略爪状の部分のみで構成されている。嵌合突起７２は、コネクタ６４の嵌合位置毎に対になって形成されている。
【００９７】
基部６８の上記解放された上面には、ユニット蓋部材６２のバスバー保持部６６が差し込まれるようになっている。バスバー保持部６６が差し込まれた後には、嵌合突起７１が嵌合部６７に係止され、ユニット蓋部材６２が本体ユニット６３に嵌合するようになっている。一方、コネクタ６４が本体ユニット６３に嵌合すると、コネクタ６４の後述する嵌合部８３が嵌合突起７２に係止されるようになっている。
【００９８】
バスバー群６９は、複数のバスバー７３、すなわちバスバー７３ａ〜７３ｄにより構成されている。バスバー群６９は、図２５（ｃ）のような結線が必要な場合に、バスバー７３ａ〜７３ｄを図２５（ａ）、（ｂ）のように配索して構成されている。尚、他の例として、図２６（ｃ）のような結線が必要な場合には、バスバー７３ｅ〜７３ｇを図２６（ａ）、（ｂ）のような配索にして対応することができるものとする。バスバー７３の形状は、回路によって異なるものとする。バスバー７３をクロスさせる必要がある場合には、特に図示しないが、一方のバスバー７３にブリッジ形状の部分を形成して空気絶縁によりクロスさせることが可能であるものとする。また、絶縁体を挟み込んでクロスさせることも可能であるものとする。
【００９９】
各バスバー７３は、導電性を有する金属板を打ち抜いて製造されており、所望の経路を有している。各バスバー７３には、タブ７４が起立連成されている。バスバー群６９が基部６８の下面に取り付けられると、タブ７４が貫通孔７０に差し込まれ、そのタブ７４が外方に突出するようになっている（図２３参照）。外方に突出したタブ７４は、コネクタ６４との電気的な接続がなされるようになっている。
【０１００】
上記コネクタ６４は、複数の屋内配線ユニットケーブル７５の各端末に対して取り付けられている。具体的には、任意の長さでシース７６を皮むきし、露出した絶縁電線７７の各端末に対してコネクタ６４が取り付けられている。このようなコネクタ６４は、絶縁性を有する合成樹脂製のハウジング７８と、そのハウジング７８に収容される複数の雌型端子７９とを備えて構成されている。
【０１０１】
ハウジング７８は、例えば図示のような略直方体形状に形成されている。また、ハウジング７８は、本体ユニット６３に対して着脱自在に嵌合するように形成されている。ハウジング７８の前面には、バスバー群６９のタブ７４が差し込まれる開口部８０が複数形成されている。雌型端子７９は、導電性を有する金属板により製造されており、電気接触部８１と電線接続部８２とを有している。電気接触部８１には、バスバー群６９のタブ７４が接続されるようになっている。電線接続部８２には、絶縁電線７７の導体が加締めにより接続されている。
【０１０２】
開口部８０を介してバスバー群６９のタブ７４がコネクタ６４の内部に差し込まれると、タブ７４と雌型端子７９との電気的な接続が完了するようになっている。尚、雌型端子７９と開口部８０とが特許請求の範囲に記載したコネクタ６４の接続部に相当するものとする。ハウジング７８の後面からは、雌型端子７９に接続された絶縁電線７７が引き出されている。
【０１０３】
ハウジング７８の側面には、本体ユニット６３の嵌合突起７２に対して係止される嵌合部８３が対になって形成されている。その嵌合部８３は、可撓性を有している。嵌合部８３の先端側には、嵌合突起７２の形状に合わせた凹状の部分が形成されている。
【０１０４】
上記構成において、バスバー群６９が形成されて所望の経路で配索されると、結線用の回路が本体ユニット６３に形成される。また、複数の屋内配線ユニットケーブル７５の各端末にコネクタ６４がそれぞれ取り付けられると、コネクタ付きケーブル８４が形成される。
【０１０５】
住宅メーカーの工場内では、ユニット蓋部材６２、本体ユニット６３、及びコネクタ付きケーブル８４の形成が行われるとともに、ユニット蓋部材６２と本体ユニット６３とを嵌合させた図２９に示されるようなサブアッシー８５が形成される。尚、ユニット蓋部材６２が本体ユニット６３に嵌合すると、バスバー群６９がバスバー保持部６６により保持される。サブアッシー８５とコネクタ付きケーブル８４は、施工現場へ搬送される。
【０１０６】
サブアッシー８５とコネクタ付きケーブル８４が施工現場へ搬送されると、これらの嵌合が作業者によって行われる。コネクタ６４とサブアッシー８５の嵌合と同時に電気的な接続が完了する。その後、嵌合状態にあるユニット蓋部材６２と本体ユニット６３と複数のコネクタ６４の全体に対して保護カバー（例えば上述の保護カバー５又は３５）を取り付けると、配線ユニットケーブル用ジョイントボックス６１が完成する。
【０１０７】
以上、図２１ないし図２９を参照しながら説明してきたように、本発明の屋内配線用接続器に係る配線ユニットケーブル用ジョイントボックス６１は、上記構成であることから上述の各形態と同じ効果を奏する。すなわち、個人差のでない作業にするとともに作業時間の短縮化を図ることができる。また、保護カバーへの固定が簡単となる構成であることから、工数の低減を図ることができる。
【０１０８】
続いて、図３０ないし図３８を参照しながら配線ユニットケーブル用ジョイントボックスの更に他の例を説明する。図３０は更に他の配線ユニットケーブル用ジョイントボックスの斜視図、図３１はユニット蓋部材の斜視図、図３２は本体ユニットの斜視図、図３３は本体ユニットを構成する基部の斜視図、図３４は本体ユニットを構成する結線部品の図、図３５は結線図、図３６は屋内配線ユニットケーブルの端末及びコネクタの斜視図、図３７は雄端子と雌端子の接続状態の説明図、図３８はユニット蓋部材と本体ユニットの嵌合状態を示す斜視図である。
【０１０９】
図３０ないし図３８において、第四実施形態となる本発明の屋内配線用接続器に係る配線ユニットケーブル用ジョイントボックス９１は、ユニット蓋部材９２と本体ユニット９３と複数のコネクタ９４とを備えて構成されている。また、配線ユニットケーブル用ジョイントボックス９１は、嵌合状態にあるユニット蓋部材９２と本体ユニット９３とコネクタ９４の全体を保護するための保護カバー（例えば上述の保護カバー５又は３５）を備えて構成されている。
【０１１０】
上記ユニット蓋部材９２は、絶縁性を有する合成樹脂材により平面視矩形の蓋状の部材となるように成形されている。また、ユニット蓋部材９２は、本体ユニット９３に対して着脱自在に嵌合するように形成されている。尚、ユニット蓋部材９２は、必要に応じて設定されるものとする。ユニット蓋部材９２の上面は、平坦に形成されている。また、ユニット蓋部材９２の側面には、複数の嵌合部９５が形成されている。
【０１１１】
嵌合部９５は、四側面のうちの二側面と、一部が下面とに跨って、それぞれ二つずつ形成されている。嵌合部９５は、後述する嵌合突起９９を係止することが可能な形状に形成されている。尚、嵌合部９５や後述する嵌合突起９９等の嵌合構造は一例であり、特に本形態の構造に限定されないものとする。すなわち、既知嵌合構造を適宜採用することができるものとする。
【０１１２】
上記本体ユニット９３は、絶縁性を有する合成樹脂製の基部９６と、その基部９６に取り付けられる結線部品９７とを備えて構成されている。基部９６は、本形態において、下面と四つの側面とを有して略箱状の部材となるように形成されている。すなわち、略箱状の部材であることから、基部９６の上面は解放形成されている。基部９６の下面は、平坦に形成されており、スリット状の貫通孔９８が複数形成されている。貫通孔９８は、後述する雄端子１０４の形状に合わせて形成されている。また、貫通孔９８は、コネクタ９４の嵌合位置に合わせて形成されている。
【０１１３】
基部９６の二側面上端には、ユニット蓋部材９２の嵌合部９５に係止される嵌合突起９９が複数形成されている。嵌合突起９９は、略爪状の部分を有する略アーム状の突起であって、その略爪状の部分には、嵌合をスムーズにするためのテーパ面が形成されている。基部９６の二側面下端には、嵌合突起１００が複数形成されている。その嵌合突起１００は、上記嵌合突起９９の形状とは異なり、略爪状の部分のみで構成されている。嵌合突起１００は、コネクタ９４の嵌合位置毎に対になって形成されている。
【０１１４】
基部９６の上記解放された上面は、その上面を覆うようにユニット蓋部材９２が嵌合するようになっている。すなわち、嵌合突起９９が嵌合部９５に係止され、ユニット蓋部材９２が本体ユニット９３に嵌合するようになっている。これにより、結線部品９７が外部から保護される。一方、コネクタ９４が本体ユニット９３に嵌合すると、コネクタ９４の後述する嵌合部１１６が嵌合突起１００に係止されるようになっている。
【０１１５】
結線部品９７は、複数の絶縁電線１０１〜１０３と雄端子１０４と圧着スリーブ（又はコネクタ）１０５とを備えて構成されている。絶縁電線１０１〜１０３は、種別の異なる既知の電線であって、その各一端が圧着スリーブ１０５により結線されている。また、絶縁電線１０１〜１０３の各他端には、タブ状の電気接触部１０６を有する雄端子１０４が電気的に接続されている。絶縁電線１０１〜１０３の各一端が圧着スリーブ１０５により結線されることにより、所望の経路が形成されている。尚、本形態においては、図３５の結線図をもとにして図３４の結線部品９７が組み立てられている（一例であるものとする。組み立て手順は図３４（ａ）から順に図３４（ｃ）まで行われるものとする）。
【０１１６】
雄端子１０４は、貫通孔９８に差し込まれ、そのタブ状の電気接触部１０６が外方に突出するようになっている（図３２参照）。外方に突出したタブ状の電気接触部１０６は、コネクタ９４との電気的な接続がなされるようになっている。引用符号１０７は雄端子１０４の電線接続部を示している。雄端子１０４は、適宜手段で貫通孔９８に固定されている。
【０１１７】
上記コネクタ９４は、複数の屋内配線ユニットケーブル１０８の各端末に対して取り付けられている。具体的には、任意の長さでシース１０９を皮むきし、露出した絶縁電線１１０の各端末に対してコネクタ９４が取り付けられている。このようなコネクタ９４は、絶縁性を有する合成樹脂製のハウジング１１１と、そのハウジング１１１に収容される複数の雌型端子１１２とを備えて構成されている。
【０１１８】
ハウジング１１１は、例えば図示のような略直方体形状に形成されている。また、ハウジング１１１は、本体ユニット９３に対して着脱自在に嵌合するように形成されている。ハウジング１１１の前面には、結線部品９７の雄端子１０４が差し込まれる開口部１１３が複数形成されている。雌型端子１１２は、導電性を有する金属板により製造されており、電気接触部１１４と電線接続部１１５とを有している。電気接触部１１４には、雄端子１０４の電気接触部１０６が接続されるようになっている。電線接続部１１５には、絶縁電線１１０の導体が加締めにより接続されている。
【０１１９】
開口部１１３を介して結線部品９７の雄端子１０４がコネクタ９４の内部に差し込まれると、雄端子１０４の電気接触部１０６と雌型端子１１２の電気接触部１１４との電気的な接続が完了するようになっている。尚、雌型端子１１２と開口部１１３とが特許請求の範囲に記載したコネクタ９４の接続部に相当するものとする。ハウジング１１１の後面からは、雌型端子１１２に接続された絶縁電線１１０が引き出されている。
【０１２０】
ハウジング１１１の側面には、本体ユニット９３の嵌合突起１００に対して係止される嵌合部１１６が対になって形成されている。その嵌合部１１６は、可撓性を有している。嵌合部１１６の先端側には、嵌合突起１００の形状に合わせた凹状の部分が形成されている。
【０１２１】
上記構成において、所望の経路を有する結線部品９７が組み立てられて基部９６に収容及び装着されると、結線用の回路が本体ユニット９３に形成される。また、複数の屋内配線ユニットケーブル１０８の各端末にコネクタ９４がそれぞれ取り付けられると、コネクタ付きケーブル１１７が形成される。
【０１２２】
住宅メーカーの工場内では、ユニット蓋部材９２、本体ユニット９３、及びコネクタ付きケーブル１１７の形成が行われるとともに、ユニット蓋部材９２と本体ユニット９３とを嵌合させた図３８に示されるようなサブアッシー１１８が形成される。その後、サブアッシー１１８とコネクタ付きケーブル１１７は、施工現場へ搬送される。
【０１２３】
サブアッシー１１８とコネクタ付きケーブル１１７が施工現場へ搬送されると、これらの嵌合が作業者によって行われる。コネクタ９４とサブアッシー１１８の嵌合と同時に電気的な接続が完了する。その後、嵌合状態にあるユニット蓋部材９２と本体ユニット９３と複数のコネクタ９４の全体に対して保護カバー（例えば上述の保護カバー５又は３５）を取り付けると、配線ユニットケーブル用ジョイントボックス９１が完成する。
【０１２４】
以上、図３０ないし図３８を参照しながら説明してきたように、本発明の屋内配線用接続器に係る配線ユニットケーブル用ジョイントボックス９１は、上記構成であることから上述の各形態と同じ効果を奏する。すなわち、個人差のでない作業にするとともに作業時間の短縮化を図ることができる。また、保護カバーへの固定が簡単となる構成であることから、工数の低減を図ることができる。
【０１２５】
その他、本発明は本発明の主旨を変えない範囲で種々変更実施可能なことは勿論である。
【図面の簡単な説明】
【０１２６】
【図１】本発明による屋内配線用接続器の一実施の形態を示す配線ユニットケーブル用ジョイントボックスの斜視図である。
【図２】（ａ）は表面側から見た回路部の斜視図、（ｂ）は裏面側から見た回路部の斜視図である。
【図３】回路部の底面図である。
【図４】（ａ）は表面側から見た本体ユニットの斜視図、（ｂ）は裏面側から見た本体ユニットの斜視図である。
【図５】圧接端子の正面図である。
【図６】屋内配線ユニットケーブルの端末及びコネクタの斜視図である。
【図７】保護カバーを取り付けた状態の配線ユニットケーブル用ジョイントボックスの斜視図である。
【図８】図３に対する他の例であり、（ａ）は例１となる結線図、（ｂ）はその配置図である。
【図９】図３に対する他の例であり、（ａ）は例２となる結線図、（ｂ）はその配置図である。
【図１０】図３に対する他の例であり、（ａ）は例３となる結線図、（ｂ）はその配置図である。
【図１１】回路部の他の例を示す斜視図である。
【図１２】本発明による屋内配線用接続器の一実施の形態を示す他の配線ユニットケーブル用ジョイントボックスの斜視図である。
【図１３】保護カバーを開いた状態の配線ユニットケーブル用ジョイントボックスの斜視図である。
【図１４】配線ユニットケーブル用ジョイントボックスの斜視図である。
【図１５】保護カバー（閉じた状態）の斜視図である。
【図１６】保護カバー（開いた状態）の斜視図である。
【図１７】吊りボルトに固定した状態の正面図（ボルトによる固定）である。
【図１８】吊りボルトに固定した状態の背面側から見た斜視図（ボルトによる固定）である。
【図１９】吊りボルトに固定した状態の正面図（結束バンドによる固定）である。
【図２０】吊りボルトに固定した状態の背面側から見た斜視図（結束バンドによる固定）である。
【図２１】本発明による屋内配線用接続器の一実施の形態を示す更に他の配線ユニットケーブル用ジョイントボックスの斜視図である。
【図２２】バスバー保持部材としてのユニット蓋部材の斜視図である。
【図２３】本体ユニットの斜視図である。
【図２４】本体ユニットを構成する基部の斜視図である。
【図２５】（ａ）は本体ユニットを構成するバスバー群の分解斜視図、（ｂ）はそのバスバー群の配置図、（ｃ）は結線図である。
【図２６】（ａ）は他の例のバスバー群の分解斜視図、（ｂ）はそのバスバー群の配置図、（ｃ）は結線図である。
【図２７】屋内配線ユニットケーブルの端末及びコネクタの斜視図である。
【図２８】バスバーと端子の接続状態の説明図である。
【図２９】ユニット蓋部材と本体ユニットの嵌合状態を示す斜視図である。
【図３０】本発明による屋内配線用接続器の一実施の形態を示す更に他の配線ユニットケーブル用ジョイントボックスの斜視図である。
【図３１】ユニット蓋部材の斜視図である。
【図３２】本体ユニットの斜視図である。
【図３３】本体ユニットを構成する基部の斜視図である。
【図３４】本体ユニットを構成する結線部品の図であり、（ａ）は雄端子を設けた絶縁電線の斜視図、（ｂ）はその絶縁電線を整列させた状態の斜視図、（ｃ）は結線部品の斜視図である。
【図３５】図３４の結線部品に対応する結線図である。
【図３６】屋内配線ユニットケーブルの端末及びコネクタの斜視図である。
【図３７】雄端子と雌端子の接続状態の説明図である。
【図３８】ユニット蓋部材と本体ユニットの嵌合状態を示す斜視図である。
【符号の説明】
【０１２７】
１  配線ユニットケーブル用ジョイントボックス
２  回路部
３  本体ユニット
４  コネクタ
５  保護カバー
６  基板
７  絶縁電線
８  電線配索溝
９  圧接端子挿入溝
１０、２５  嵌合部
１１  圧接端子
１２、１７  嵌合突起
１３  基部
１４  圧接刃
１５  接続部
１６  ストッパ
１８  コネクタ受け部
１９  隔壁
２０  屋内配線ユニットケーブル
２１  シース
２２  絶縁電線
２３  ハウジング
２４  開口部
２６  コネクタ付きケーブル
３１  配線ユニットケーブル用ジョイントボックス
３２  回路部
３３  本体ユニット
３４  コネクタ
３５  保護カバー
３６  基板
３７、４０、５１  嵌合部
３８  基部
３９、４５、５３  嵌合突起
４１  屋内配線ユニットケーブル
４２  シース
４３  絶縁電線
４４  ハウジング
４６  カバー本体
４７  ヒンジ
４８  蓋部
４９  取り付け孔
５０  固定部（固定手段）
５２、５４  押さえ部
５５  吊りボルト
５６  ボルト
５７  ナット
５８  押さえ板
５９  結束バンド
６１  配線ユニットケーブル用ジョイントボックス
６２  ユニット蓋部材（バスバー保持部材）
６３  本体ユニット
６４  コネクタ
６６  バスバー保持部
６９  バスバー群
７０  貫通孔
７３  バスバー
７４  タブ
７５  屋内配線ユニットケーブル
７６  シース
７７  絶縁電線
７８  ハウジング
７９  雌型端子
８０  開口部
８４  コネクタ付きケーブル
８５  サブアッシー
９１  配線ユニットケーブル用ジョイントボックス
９２  ユニット蓋部材（バスバー保持部材）
９３  本体ユニット
９４  コネクタ
９５  嵌合部
９６  基部
９７  結線部品
１０１〜１０３  絶縁電線
１０４  雄端子
１０５  圧着スリーブ
１０８  屋内配線ユニットケーブル
１０９  シース
１１０  絶縁電線
１１１  ハウジング
１１２  雌型端子
１１３  開口部
１１７  コネクタ付きケーブル
１１８  サブアッシー
【図１】
0004326350.tif 000002
【図２】
0004326350.tif 000003
【図３】
0004326350.tif 000004
【図４】
0004326350.tif 000005
【図５】
0004326350.tif 000006
【図６】
0004326350.tif 000007
【図７】
0004326350.tif 000008
【図８】
0004326350.tif 000009
【図９】
0004326350.tif 000010
【図１０】
0004326350.tif 000011
【図１１】
0004326350.tif 000012
【図１２】
0004326350.tif 000013
【図１３】
0004326350.tif 000014
【図１４】
0004326350.tif 000015
【図１５】
0004326350.tif 000016
【図１６】
0004326350.tif 000017
【図１７】
0004326350.tif 000018
【図１８】
0004326350.tif 000019
【図１９】
0004326350.tif 000020
【図２０】
0004326350.tif 000021
【図２１】
0004326350.tif 000022
【図２２】
0004326350.tif 000023
【図２３】
0004326350.tif 000024
【図２４】
0004326350.tif 000025
【図２５】
0004326350.tif 000026
【図２６】
0004326350.tif 000027
【図２７】
0004326350.tif 000028
【図２８】
0004326350.tif 000029
【図２９】
0004326350.tif 000030
【図３０】
0004326350.tif 000031
【図３１】
0004326350.tif 000032
【図３２】
0004326350.tif 000033
【図３３】
0004326350.tif 000034
【図３４】
0004326350.tif 000035
【図３５】
0004326350.tif 000036
【図３６】
0004326350.tif 000037
【図３７】
0004326350.tif 000038
【図３８】
0004326350.tif 000039